(57)【要約】　　　（修正有）【課題】　車輌の前面窓の領域にジャロジー等のルーバー開閉窓を具備し、天候や季節等必要に応じて開閉可能なジャロジー窓付車輌を開発・提供する。【解決手段】　ゴルフ用カート等の車輌の前面窓の領域にジャロジー等のルーバー開閉窓を具備する車輌の前面窓の開閉構造であって、該ルーバー開閉窓は、中心部に回動軸を有する複数のルーバー開閉窓本体１ａを上下方向に等間隔に軸着し、且つ、該ルーバー窓本体の軸支部に回動用アーム１ｂを枢着し、且つ、該各回動用アームを連結し、上下平行移動可能な平行移動リンク１ｄを設け、且つ、該回動軸部を支点にルーバー開閉窓本体を所定角度程回動させる為の操作レバー等の回動手段を設け、且つ、天候や季節に応じてルーバー開閉窓を任意に開閉可能にしたものである。【選択図】　図２
0003099561.tif 000002
【実用新案登録請求の範囲】
【請求項１】
　ゴルフ用カート等の車輌（Ｃ）の前面窓の領域にジャロジー等のルーバー開閉窓（１）を具備する車輌の前面窓の開閉構造であって、該ルーバー開閉窓（１）は、中心部に回動軸（１ｃ）を有する複数のルーバー開閉窓本体（１ａ）を上下方向に等間隔に軸着し、且つ、該ルーバー窓本体（１ａ）の軸支部（１ｃ’）に回動用アーム（１ｂ）を枢着し、且つ、該各回動用アーム（１ｂ）を連結し、上下平行移動可能な平行移動リンク（１ｄ）を設け、且つ、該回動軸（１ｃ）部を支点にルーバー開閉窓本体（１ａ）を所定角度（α）程回動させる為の操作レバー（１ｇ）等の回動手段を設け、且つ、天候や季節に応じてルーバー開閉窓を任意に開閉可能にした事を特徴とするジャロジー窓付車輌。
【考案の詳細な説明】
【技術分野】
【０００１】
　この考案は、例えばゴルフ場において、ゴルフバッグの運搬やゴルファーの移動等に用いられるゴルフカート等、比較的低速で走行し、簡易な構造に構成される車輌に好適な車輌の前面窓の開閉構造に関するものである。
【背景技術】
【０００２】
　周知のとおり、例えば乗用型のゴルフカートは、一般の乗用車と比較すると、全体の構造が簡易に製作される。但し、その車室の前方には、一般の乗用車と同様に、ウィンドシールドガラスを備えた前面窓を設ける事により、車輌走行時における風避けや雨避けが図れる様にする事が望まれる。又、この場合、車輌の走行時にゴルフカートの前面部の一部から外気を車室内へ積極的に取り組む事によって、搭乗者に新鮮な空気を与え、適度な涼風感が得られる様にしたい場合がある。
【０００３】
　そこで、従来では、ゴルフカートの車室内に外気を取り組む手段として、例えば車輌の前面窓を塞ぐウィンドシールガラスを、上下２分割にし、上部ウィンドガラスのヒンジ金具を介して車輌の前後方向に回動自在に設けたものや、他の例として前面窓の一部を上下方向にスライドさせるもの等がある。（例えば、特許文献１を参照。）
【特許文献１】特開平１１−９１３４８　しかしながら、上記従来の手段であるヒンジ型では、ヒンジ金具が２枚のウィンドシールガラスの繋ぎ目部分に跨って位置しており、前面窓の非常に目立ち易い部分に設けられている。従って、従来では、上記前面窓に取り付けられたヒンジ金具が車輌の見栄えを悪くするとともに、運転者の視界をも妨げるという不具合を生じていた。又、上下スライド型もシール性や操作性やコスト面でやや実用性に問題がある。
【考案の開示】
【考案が解決しようとする課題】
【０００４】
　そこで、この考案は上記問題を解決する為、車輌の前面窓の領域にジャロジー等のルーバー開閉窓を具備し、天候や季節等必要に応じて開閉可能なジャロジー窓付車輌を開発・提供することにある。
【課題を解決するための手段】
【０００５】
　そこで、この課題を解決する為に、車輌の前面窓の領域にジャロジー等の透明アクリル等の強化樹脂製ルーバー窓開閉用レバーを介して簡単操作で上下開閉可能にしたものである。
【考案の効果】
【０００６】
　ゴルフカート等の車輌の前面窓の領域にジャロジー等の透明アクリル等の強化樹脂製ルーバー開閉窓を具備し、且つ、炎天下の時にはルーバー窓を開いて風を送り込み、又、雨天時にはルーバー窓を閉じて雨の侵入を防ぐ等、天候や季節に応じて前面窓を開閉する事で、快適にゴルフ等のスポーツを楽しむ事が出来る。
【考案を実施するための最良の形態】
【０００７】
　そこで、この発明の最良の形態としては、ゴルフカート等の車輌の前面部をジャロジー等のルーバー窓にした場合、万が一打球が飛んで来ても安全である為には、ルーバーの取り付け間隔をボール外径寸法より小さくする必要がある。しかし、車輌の大きさとのバランス、視界性や通風性、又、製造コストやメンテナンス等を総合的に考慮した場合、５０ｍｍから１００ｍｍ程度が最良である。
【実施例１】
【０００８】
　そこで、この考案の一実施例を図１〜図３に従って詳述すると、ゴルフ用カート等の車輌（Ｃ）の前面窓の領域にジャロジー等のルーバー開閉窓（１）を具備する車輌の前面窓の開閉構造であって、該ルーバー開閉窓（１）は、中心部に回動軸（１ｃ）を有する複数のルーバー開閉窓本体（１ａ）を上下方向に等間隔に軸着し、且つ、該ルーバー窓本体（１ａ）の軸支部（１ｃ’）に回動用アーム（１ｂ）を枢着し、且つ、該各回動用アーム（１ｂ）を連結し、上下平行移動可能な平行移動リンク（１ｄ）を設け、且つ、該回動軸（１ｃ）部を支点にルーバー開閉窓本体（１ａ）を所定角度（α）程回動させる為の操作レバー（１ｇ）等の回動手段を車輌（Ｃ）の中央部に設け、且つ、天候や季節に応じてルーバー開閉窓を任意に開閉可能にした事を特徴とするジャロジー窓付車輌から構成される。
【０００９】
　次に、ルーバー開閉窓（１）の構造及び作動方法について説明すると、上下方向で平行に設けられた複数のルーバー開閉窓本体（１ａ）はそれぞれ独立して軸支部を中心に所定角度（α）程回動する様に成っていて、且つ、該各軸支部（１ｃ’）にはルーバー窓本体（１ａ）を回動させる為の回動用アーム（１ｂ）を枢着し、且つ、該各回動用アームを連結し、上下平行移動可能な平行移動リンク（１ｄ）を設け、且つ、該回動軸部を支点にルーバー開閉窓本体（１ａ）を所定角度程回動させる為の操作レバー（１ｇ）等の回動手段を設け、且つ、該操作レバーを上下方向に任意な角度だけ移動させることによって天候や季節に応じたルーバー開閉窓の調整を行う。
【００１０】
　又、図２又は図３に示す様に、各ルーバー開閉窓本体（１ａ）の上下には防水用パッキン（１ｅ）（１ｆ）を挿着し、雨天時に多量の雨が降っても雨が侵入しない構造に成っている。
【００１１】
　そして、ルーバー窓の開閉は手動式で操作レバー（１ｇ）を手で持って上下方向に任意の角度（α）に開閉することが出来る。
【産業上の利用可能性】
【００１２】
この考案は、ゴルフカート等の車輌（Ｃ）の前面部にジャロジー等のルーバー窓（１）を係着し、天候や季節に応じて前面窓を開閉する事で、快適にゴルフ等のスポーツが楽しめるジャロジー窓付車輌を提供するものであって、一般のゴルファー等のスポーツ愛好家をはじめ、プロのスポーツ選手に至るまで広範囲に寄与する点で産業上の利用可能性を有する。
【図面の簡単な説明】
【００１３】
【図１】この考案の一実施例を示し、ジャロジー窓付車輌全体の斜視図である。
【図２】この考案の一実施例を示し、図１のａ−ａ矢視図である。
【図３】この考案の一実施例を示し、図２のａ部拡大詳細図である。
【符号の説明】
【００１４】
　１　ジャロジー等のルーバー開閉窓全体
　１ａ　ジャロジー等のルーバー開閉窓本体
　１ｂ　回動用アーム
　１ｃ　回動軸
　１ｄ　平行移動リンク
　１ｅ　防水パッキン
　１ｆ　防水パッキン
　１ｇ　操作レバー
　１ｈ　連結軸
　Ｃ　ゴルフカート等の車輌
【図１】
0003099561.tif 000003
【図２】
0003099561.tif 000004
【図３】
0003099561.tif 000005